(57)【要約】【課題】使用角度を頻繁に変えなくても剃り性能を向上させることができる電気かみそりを提供する。【解決手段】第１外刃部２１（第１外刃）の幅方向Ｙ両端部には、第２外刃部２２（第２外刃）がそれぞれ形成され、各第２外刃部２２の内側には、該第２外刃部２２の裏面と摺接可能な第２内刃３２が設けられる。そして、各第２外刃部２２は、その表面が幅方向Ｙの外側（反第１外刃部側）を向くように形成されている。【選択図】図１
2010075405.tif 000002
【特許請求の範囲】
【請求項１】
往復直線運動する第１内刃、及び該第１内刃を覆うように設けられ該第１内刃の運動方向と平行な湾曲形状に形成された網目状の第１外刃からなる第１刃ブロックと、
前記第１内刃の運動方向における前記第１刃ブロックの側方に設けられ、往復運動する第２内刃及び該第２内刃を覆うように設けられた網目状の第２外刃からなる第２刃ブロックとを備え、
前記第２外刃は、その表面の少なくとも一部が反第１刃ブロック側を向くように設けられたことを特徴とする電気かみそり。
【請求項２】
請求項１に記載の電気かみそりにおいて、
前記第１内刃は、駆動源の駆動により往復直線運動する可動子に固定されるものであり、該可動子と前記第２内刃との間には、前記可動子の運動を前記第２内刃に伝達して該第２内刃を往復運動させる伝達部が設けられたことを特徴とする電気かみそり。
【請求項３】
請求項１又は２に記載の電気かみそりにおいて、
前記第１外刃と前記第２外刃とは、同一部材からなることを特徴とする電気かみそり。
【請求項４】
請求項１又は２に記載の電気かみそりにおいて、
前記第１外刃と前記第２外刃とは、別部材からなることを特徴とする電気かみそり。
【請求項５】
請求項１〜４のいずれか１項に記載の電気かみそりにおいて、
前記第２外刃は、前記第１内刃の運動方向に向かって傾斜する傾斜部を有することを特徴とする電気かみそり。
【請求項６】
請求項１〜５のいずれか１項に記載の電気かみそりにおいて、
前記第２外刃は、電気かみそりの上下方向から見て反第１刃ブロック側に円弧状に凸としたことを特徴とする電気かみそり。
【発明の詳細な説明】
【技術分野】
【０００１】
本発明は、髭等の体毛を剃るための電気かみそりに関するものである。
【背景技術】
【０００２】
従来、電気かみそりは、往復直線運動する内刃と該内刃を覆うように設けられた網目状の外刃とから構成された刃ブロックを備え、このような電気かみそりでは、外刃の網目から導入された髭等がその外刃と内刃とで剃られる（挟んで切断される）ようになっている（例えば特許文献１）。このような電気かみそりでは、刃ブロックの外刃は、一般に内刃の運動方向と平行な湾曲形状をなしているため、その運動方向と直交する方向に電気かみそりを移動させて使用すると、髭等を外刃の網目に導入させ易くなり良く剃れるようになっている。
【特許文献１】特開平７−２６５５６０号公報
【発明の開示】
【発明が解決しようとする課題】
【０００３】
ところで、髭の生え方向は一方向に揃っておらず、顎髭等は特に様々な方向を向いて生えている。そのため、髭を刃ブロック内部に効率良く導入させるためには、内刃の運動方向と直交する方向（髭を導入させ易い使用方向）を髭の生え方向に合わせて電気かみそりの角度（外刃の頂面の垂線を軸とする角度）を変えながら使用する必要があり、電気かみそりの角度を何度も変更して剃り直す行為が煩わしかった。
【０００４】
本発明は、上記課題を解決するためになされたものであって、その目的は、使用角度を変えなくても剃り性能を向上させることができる電気かみそりを提供することにある。
【課題を解決するための手段】
【０００５】
上記課題を解決するために、請求項１に記載の発明は、往復直線運動する第１内刃、及び該第１内刃を覆うように設けられ該第１内刃の運動方向と平行な湾曲形状に形成された網目状の第１外刃からなる第１刃ブロックと、前記第１内刃の運動方向における前記第１刃ブロックの側方に設けられ、往復運動する第２内刃及び該第２内刃を覆うように設けられた網目状の第２外刃からなる第２刃ブロックとを備え、前記第２外刃は、その表面の少なくとも一部が反第１刃ブロック側を向くように設けられたことをその要旨とする。
【０００６】
この発明では、電気かみそりを第１内刃の運動方向と直交する方向に移動させて剃った場合には、第１刃ブロックの第１外刃から髭等の体毛を導入し易く、第１内刃の運動方向に移動させて剃った場合には、第２刃ブロックの第２外刃から髭等を導入し易い。そのため、電気かみそりの使用角度（第１外刃の頂面の垂線を軸とする回転方向の角度）を変えなくても、移動方向を変えながら使用することで、剃り性能を向上させることができる。
【０００７】
請求項２に記載の発明は、請求項１に記載の電気かみそりにおいて、前記第１内刃は、駆動源の駆動により往復直線運動する可動子に固定されるものであり、該可動子と前記第２内刃との間には、前記可動子の運動を前記第２内刃に伝達して該第２内刃を往復運動させる伝達部が設けられたことをその要旨とする。
【０００８】
この発明では、１つの駆動源により第１内刃及び第２内刃を往復運動させることができるため、第２内刃用の駆動源を別途設ける必要がなく、電気かみそりの低コスト化に貢献することができる。
【０００９】
請求項３に記載の発明は、請求項１又は２に記載の電気かみそりにおいて、前記第１外刃と前記第２外刃とは、同一部材からなることをその要旨とする。
この発明では、電気かみそりの部品点数の増加を抑えることができる。
【００１０】
請求項４に記載の発明は、請求項１又は２に記載の電気かみそりにおいて、前記第１外刃と前記第２外刃とは、別部材からなることをその要旨とする。
この発明では、第１及び第２外刃を容易に製造することが可能である。
【００１１】
請求項５に記載の発明は、請求項１〜４のいずれか１項に記載の電気かみそりにおいて、前記第２外刃は、前記第１内刃の運動方向に向かって傾斜する傾斜部を有することをその要旨とする。
【００１２】
この発明では、第１外刃の表面を肌に接触させた状態で、電気かみそりを第１内刃の運動方向にスムーズに移動させることが可能となる。
請求項６に記載の発明は、請求項１〜５のいずれか１項に記載の電気かみそりにおいて、前記第２外刃は、電気かみそりの上下方向から見て反第１刃ブロック側に円弧状に凸としたことをその要旨とする。
【００１３】
この発明では、第２外刃が電気かみそりの上下方向（第１外刃の頂面に対する垂線方向）から見て反第１刃ブロック側に円弧状に凸としたため、第１外刃の表面を肌に接触させた状態で電気かみそりを移動させる際の第２外刃の肌への引っ掛かりが抑えられ、スムーズに移動させることが可能となる。
【発明の効果】
【００１４】
従って、上記記載の発明によれば、使用角度を変えなくても剃り性能を向上させることができる。
【発明を実施するための最良の形態】
【００１５】
（第１実施形態）
以下、本発明を具体化した第１実施形態を図面に従って説明する。
図１に示す本実施形態の電気かみそり１は、把持部（図示略）の先端に設けられたヘッド部２を有している。ヘッド部２は、ハウジング１０の上部に刃ブロック１１が取り付けられてなる。刃ブロック１１は、刃ブロック１１の上端部に配置される外刃部材１２と、外刃部材１２の内側に配置される内刃ユニット１３とを備えている。
【００１６】
外刃部材１２は、外刃カセット１４を介してハウジング１０に固定されている。また、外刃部材１２は、薄い板状部材に多数の導入孔１２ａ（図２参照）が形成された網目状をなしており、該外刃部材１２の幅方向Ｙの長さは、ハウジング１０の幅方向Ｙの長さと略等しく設定されている。そして、外刃部材１２の幅方向Ｙの中央部には、第１外刃部２１（第１外刃）が形成されるとともに、幅方向Ｙ両端部には、第２外刃部２２（第２外刃）がそれぞれ形成されている。
【００１７】
第１外刃部２１は、ハウジング１０の幅方向Ｙに平行であって上方に凸となる湾曲状（ハウジング１０の幅方向Ｙから見て上方に凸となる半円状）に形成されている。即ち、第１外刃部２１の表面は、上方及び前後方向Ｘ（幅方向Ｙ及び上下方向Ｚとそれぞれ直交する方向）を向くように形成されている。
【００１８】
第２外刃部２２は、第１外刃部２１からハウジング１０の幅方向Ｙ両側にそれぞれ延出されてなり、該各第２外刃部２２は、四半球面状に湾曲形成されてなる。詳しくは、各第２外刃部２２は、幅方向Ｙから見て第１外刃部２１と同様な半円状に形成されるとともに、上下方向Ｚ（外刃部材１２の頂面に対する垂線方向）から見て幅方向Ｙ外側に半円状に
凸とされている。即ち、各第２外刃部２２は、その表面が幅方向Ｙの外側（反第１外刃部側）を向くように形成されている。また、各第２外刃部２２は、前後方向Ｘから見て円弧状をなしている。つまり、第２外刃部２２は、幅方向Ｙに向かって傾斜する傾斜部２２ａを有している。
【００１９】
図２に示すように、前記内刃ユニット１３は、電気かみそり１内部に設けられた駆動源（図示略）に連結支持された可動子３３と、該可動子３３の上部に固定された複数の第１内刃３１とを備えている。可動子３３は樹脂材料よりなり、ハウジング１０の幅方向Ｙに沿って往復直線運動可能に設けられている。第１内刃３１は、可動子３３の運動方向Ｙに沿って並設されるとともに、該運動方向Ｙから見て上方に半円状に凸とされている。可動子３３は、付勢部材（図示略）により上方に付勢されており、第１内刃３１の上端は第１外刃部２１の裏面に圧接されている。これにより、第１内刃３１は、駆動源の駆動によりハウジング１０の幅方向Ｙに往復直線運動してその上端が第１外刃部２１の裏面に摺接するようになっている。そして、第１内刃３１は、主に第１外刃部２１の導入孔１２ａ（網目）から導入された髭等を該第１外刃部２１と協働して切断するようになっている。本実施形態では、第１内刃３１及び第１外刃部２１が第１刃ブロックを構成している。
【００２０】
内刃ユニット１３は、可動子３３の運動を第２内刃３２に伝達して該第２内刃を往復運動させる伝達部としての一対のリンク機構４１を、可動子３３の幅方向Ｙ両側に備えている。尚、図２では、説明の便宜のため、一対のリンク機構４１のうちの一方のみを図示しているが、図示しないもう一方のリンク機構４１の構成は図示したものと同様の構成を有している。
【００２１】
可動子３３の幅方向Ｙ両側には、ハウジング１０から延出形成された支持部４２がそれぞれ配置されている。支持部４２には、運動方向Ｙ及び上下方向Ｚ（外刃部材１２の頂面の垂線方向）にそれぞれ直交する前後方向Ｘに延びる支持ピン４３が固定され、該支持ピン４３は棒状の回動部材４４を回動可能に支持している。回動部材４４の先端部には、円弧状をなすベース部４５が支持されており、該ベース部４５の上面には、複数の第２内刃３２が固定されている。第２内刃３２は、前後方向Ｘから見て第２外刃部２２の円弧状に沿って並設されるとともに、各第２内刃３２の上端は、外刃部材１２の第２外刃部２２の形状に対応する円弧状をなしている。
【００２２】
また、回動部材４４とベース部４５との間には、圧縮コイルばね４６が介在されており、該圧縮コイルばね４６はベース部４５を第２外刃部２２側に付勢している。これにより、第２内刃３２は、外刃部材１２の第２外刃部２２の裏面に圧接されている。また、回動部材４４における支持ピン４３よりも基端側の位置には、挿通ピン４７が固定され、該挿通ピン４７は、前記可動子３３に形成された上下方向に延びるガイド孔３３ａに挿通されている。
【００２３】
上記したような構成のリンク機構４１では、可動子３３が幅方向Ｙに往復直線運動すると、回動部材４４の挿通ピン４７がガイド孔３３ａに沿って移動するとともに回動部材４４が支持ピン４３を軸として往復回動する。これにより、ベース部４５及び第２内刃３２が往復運動し、該第２内刃３２が外刃部材１２の第２外刃部２２の裏面に摺接するようになっている。そして、第２内刃３２は、主に第２外刃部２２の導入孔１２ａ（網目）から導入された髭等を該第２外刃部２２と協働して切断するようになっている。本実施形態では、第２内刃３２及び第２外刃部２２が第２刃ブロックを構成している。
【００２４】
上記したような電気かみそり１では、操作部（図示略）の操作により前記駆動源をオンして第１及び第２内刃３２を往復駆動させ、外刃部材１２の表面を皮膚に接触させて髭等を剃るようになっている。このとき、電気かみそり１を前後方向Ｘに移動させて使用した場合には、髭が主に第１外刃部２１から導入され易く、その導入された髭は第１内刃３１により切断されるようになっている。一方、電気かみそり１を幅方向Ｙ（第１内刃３１の運動方向）に移動させて髭等を剃った場合には、髭が主に第２外刃部２２から導入され易く、その第２外刃部２２から導入された髭は、第２内刃３２によって切断されるようになっている。また、電気かみそり１を幅方向Ｙと前後方向Ｘとの間の斜め方向に移動させて使用した場合には、第１外刃部２１及び第２外刃部２２の両方から髭が導入され易くなっている。これにより、髭等を剃る際に、電気かみそり１の使用角度（Ｚ軸回りの角度）を変えずに移動方向を変えるだけで、剃り性能を向上させることが可能となっている。尚、本実施形態では、各第２外刃部２２が上下方向Ｚから見て円弧状をなしているため、外刃部材１２の表面を肌に接触させた状態で電気かみそり１を幅方向Ｙと前後方向Ｘとの間の斜め方向に移動させ易くなっている。
【００２５】
次に、本実施形態の特徴的な作用効果を記載する。
（１）本実施形態では、第１外刃部２１（第１外刃）の幅方向Ｙ両端部には、第２外刃部２２（第２外刃）がそれぞれ形成され、各第２外刃部２２の内側には、該第２外刃部２２の裏面と摺接可能な第２内刃３２が設けられる。そして、各第２外刃部２２は、その表面が幅方向Ｙの外側（反第１外刃部側）を向くように形成されている。これにより、電気かみそり１を第１内刃３１の運動方向Ｙと直交する方向（前後方向Ｘ）に移動させて剃った場合には、第１外刃部２１から髭等を導入し易く、第１内刃３１の運動方向Ｙに移動させて剃った場合には、第２外刃部２２から髭等を導入し易い。そのため、電気かみそり１の使用角度（Ｚ軸回りの角度）を変えなくても、移動方向を変えながら使用することで、剃り性能を向上させることができる。
【００２６】
（２）本実施形態では、１つの駆動源により第１内刃３１及び第２内刃３２を往復運動させることができるため、第２内刃３２用の駆動源を別途設ける必要がなく、電気かみそり１の低コスト化に貢献することができる。
【００２７】
（３）本実施形態では、第２外刃部２２は、第１内刃３１の運動方向Ｙに向かって傾斜する傾斜部２２ａを有するため、第１外刃部２１の表面を肌に接触させた状態で、電気かみそり１を幅方向Ｙ（第１内刃３１の運動方向Ｙ）にスムーズに移動させることが可能となる。
【００２８】
（４）本実施形態では、第２外刃部２２は、電気かみそり１の上下方向（第１外刃部２１の頂面に対する垂線方向）から見て反第１外刃部側に円弧状に凸とされるため、第１外刃部２１の表面を肌に接触させた状態で電気かみそり１を移動させる際の第２外刃部２２の肌への引っ掛かりが抑えられ、スムーズに移動させることが可能となる。
【００２９】
（５）本実施形態では、第１外刃部２１及び第２外刃部２２が形成された外刃部材１２を備える。即ち、第１外刃部２１（第１外刃）及び第２外刃部２２（第２外刃）が同一部材からなるため、電気かみそり１の部品点数の増加を抑えることができる。
【００３０】
（第２実施形態）
以下、本発明を具体化した第２実施形態を図３及び図４（ａ）（ｂ）に従って説明する。尚、上記第１実施形態と同様な構成については、同一の符号を付してその詳細な説明を省略する。
【００３１】
図３に示すように、本実施形態の電気かみそり５０では、ハウジング１０の上部に取り付けられた第１刃ブロック５１及び第２刃ブロック５２を備えている。第１刃ブロック５１は、電気かみそり５０の前後方向Ｘに２つ並設されている。各第１刃ブロック５１は、その上部に外刃カセット５１ａを介してハウジング１０に固定された第１外刃６１を有している。各第１外刃６１は、上記第１実施形態の第１外刃部２１と略同形状をなしている。
【００３２】
また、各第１刃ブロック５１は、図４（ａ）（ｂ）に示すように、電気かみそり１内部に設けられた駆動源（図示略）に連結支持された可動子６２と、該可動子６２の上部に固定された複数の第１内刃６３とを備えている。本実施形態の可動子６２及び第１内刃６３の構成は、上記第１実施形態のものと略同様となっており、第１内刃６３は、駆動源の駆動によりハウジング１０の幅方向Ｙに往復直線運動してその上端が第１外刃６１の裏面に摺接するようになっている。
【００３３】
第２刃ブロック５２は、第１刃ブロック５１の幅方向Ｙ両側にそれぞれ配置されている。各第２刃ブロック５２は、外刃カセット５２ａを介してハウジング１０に固定された第２外刃６４と、該第２外刃の内側に配置された第２内刃６５とを有している。第２外刃６４は、薄い板状部材に多数の導入孔６４ａ（図４（ｂ）参照）が形成された網目状をなしている。第２外刃６４は、上下方向Ｚから見て半円弧状をなし、その上面６４ｂは上下方向Ｚと直交する平面をなしている。そして、第２外刃６４の上面６４ｂは、テーパ形状を有する傾斜部６４ｃを経て外周面６４ｄに移行している。つまり、傾斜部６４ｃは、その少なくとも一部が電気かみそり５０の幅方向Ｙ（第１内刃６３の運動方向Ｙ）に向かって傾斜するようになっている。このような第２外刃６４では、その傾斜部６４ｃの表面及び外周面６４ｄの少なくとも一部が幅方向Ｙの外側（反第１刃ブロック側）を向いている。
【００３４】
各第２刃ブロック５２の第２内刃６５は、ベース部７１の上面に固定されており、該ベース部７１は伝達部としてのリンク機構７２を介して前記各第１刃ブロック５１の可動子６２とそれぞれ連結されている。尚、図４（ａ）（ｂ）には、説明の便宜のため、可動子６２、ベース部７１及びリンク機構７２をそれぞれ１つのみ図示している。
【００３５】
リンク機構７２について詳述すると、ハウジング１０に固定された支持ピン７３には、上下方向Ｚから見て、くの字状をなす回動部材７４が回動可能に支持されており、該回動部材７４の先端部には、円弧状をなすベース部７１が支持されている。そして、ベース部７１の上面には、複数の第２内刃６５がベース部７１の円弧状に沿って固定されている。各第２内刃６５は、第２外刃６４に対応した形状をなしている。
【００３６】
また、ベース部７１は、回動部材７４との間に設けられた圧縮コイルばね７５により上方に付勢され、これにより第２内刃６５は、第２外刃６４の裏面（上面６４ｂ及び傾斜部６４ｃの裏面）の裏面）に圧接されている。また、回動部材７４における支持ピン７３よりも基端側の位置には、可動子６２の運動方向Ｙに対して斜めに延びるガイド孔７４ａが形成され、該ガイド孔７４ａには、可動子６２に固定された挿通ピン７６が挿通されている。このように、各可動子６２は、リンク機構７２を介して各ベース部７１にそれぞれ連結されている。
【００３７】
上記したような構成のリンク機構７２では、可動子６２が幅方向Ｙに往復直線運動すると、可動子６２の挿通ピン７６からその駆動力が回動部材７４に伝達され、該回動部材７４が支持ピン７３を軸として往復回動する。これにより、ベース部７１及び第２内刃６５がＸＹ平面に沿って往復回動し、該第２内刃６５が第２外刃６４の裏面に摺接するようになっている。そして、第２内刃６５は、第２外刃６４から導入された髭等を該第２外刃６４と協働して切断するようになっている。
【００３８】
本実施形態の電気かみそり５０は、上記第１実施形態の電気かみそり１に比べて若干の変更点はあるが、前記第１実施形態で記載した作用効果（１）〜（４）を有している。それに加え、本実施形態では、第１及び第２外刃６１，６４が別部材からなるため、容易に製造することが可能である。
【００３９】
尚、本発明の各実施形態は、以下のように変更してもよい。
・上記第１実施形態では、第１外刃部２１及び第２外刃部２２を同一部材（外刃部材１２）で構成したが、それぞれを別部材で構成してもよい。このような構成によれば、第１及び第２外刃を容易に製造することが可能である。
【００４０】
・上記第１実施形態では、刃ブロック１１を１つのみ設けたが、これ以外に例えば、前後方向Ｘに複数並設してもよい。
・上記第１実施形態では、第２外刃部２２は、上下方向Ｚから見て半円状に形成されたが、これ以外に例えば矩形状としてもよい。
【００４１】
・上記第１実施形態において、第１外刃部２１の内側に第２内刃３２を設けない構成としてもよい。
・上記第２実施形態では、第１刃ブロック５１が前後方向Ｘに２つ並設されたが、１つとしてもよく、また、３つ以上並設してもよい。
【００４２】
・上記第２実施形態では、傾斜部６４ｃを平面状としたが、外側に凸となるアールを形成してもよい。また、第２外刃６４に傾斜部６４ｃのない構成とし、第２外刃６４の上面６４ｂと外周面６４ｄとでなす角部が直角になるように構成してもよい。
【００４３】
・上記第２実施形態における伝達部としてのリンク機構７２を、例えば図５に示すような伝達部としてのジョイント部材８０に変更してもよい。ジョイント部材８０は、その両端部が可動子６２の運動方向Ｙの一端部と、支軸８１に中心に回転可能なベース部７１の一端部とにそれぞれ連結されており、可動子６２の往復運動はジョイント部材８０を介してベース部７１に伝達される。このような構成によれば、伝達部の構成を簡素化でき、低コスト化に貢献できる。尚、この構成を第１実施形態のような電気かみそり１に適用することも可能である。
【００４４】
・上記第２実施形態では、第２刃ブロック５２（第２外刃６４）は、上下方向Ｚから見て半円弧状に形成されたが、電気かみそり５０の前後方向Ｘに沿って延びる直線状に形成してもよい（図６参照）。尚、このような構成において、傾斜部６４ｃを図６に示すようにアールで形成してもよいし、第２外刃６４の上面６４ｂと外側面６４ｅとでなす角部が直角になるように構成（即ち、傾斜部６４ｃのない構成）としてもよい。また、このような構成では、図７に示すように、第２内刃６５も電気かみそり５０の前後方向Ｘに沿って延びる直線状に形成され、第２内刃６５は、第２外刃６４にガイドされて前後方向Ｘに往復直線運動するようになっている。そして、第２内刃６５は、第２外刃６４の上面６４ｂ及び外側面６４ｅから導入された髭等を該第２外刃６４と協働して切断可能となっている。
【００４５】
・上記第２実施形態において、第２刃ブロック５２を図８に示すようなチューブ状刃ブロック９１に変更してもよい。チューブ状刃ブロック９１の外刃９２は、円筒状の部材を湾曲形成してなり、その外周面に複数のスリットが形成されている。チューブ状刃ブロック９１の内刃９３は、コイル状部材が外刃９２に沿って形成されている。このようなチューブ状刃ブロック９１では、内刃９３を外刃９２に押し付けるための付勢部材なしで構成することが可能である。
【図面の簡単な説明】
【００４６】
【図１】第１実施形態の電気かみそりの一部を示す斜視図。
【図２】第１実施形態の電気かみそりの内部構成を示す概略図。
【図３】第２実施形態の電気かみそりの一部を示す斜視図。
【図４】（ａ）（ｂ）第２実施形態の電気かみそりの内部構成を示す概略図。
【図５】別例の電気かみそりの内部構成を示す概略図。
【図６】別例の電気かみそりの一部を示す斜視図。
【図７】別例の電気かみそりの内部構成を示す概略図。
【図８】別例の電気かみそりの一部を示す斜視図。
【符号の説明】
【００４７】
１…電気かみそり、１１…刃ブロック、１２…外刃部材、２１…第１外刃部（第１外刃）、２２…第２外刃部（第２外刃）、２２ａ，６４ｃ…傾斜部、３１，６３…第１内刃、３２，６５…第２内刃、３３，６２…可動子、４１，７２…伝達部としてのリンク機構、５１…第１刃ブロック、５２…第２刃ブロック、６１…第１外刃、６４…第２外刃、８０…伝達部としてのジョイント部材、９１…第２刃ブロックとしてのチューブ状刃ブロック、Ｘ…前後方向、Ｙ…幅方向（第１内刃の運動方向）、Ｚ…上下方向。
【図１】
2010075405.tif 000003
【図２】
2010075405.tif 000004
【図３】
2010075405.tif 000005
【図４】
2010075405.tif 000006
【図５】
2010075405.tif 000007
【図６】
2010075405.tif 000008
【図７】
2010075405.tif 000009
【図８】
2010075405.tif 000010